(57)【要約】      （修正有）【課題】角度を自動的に測れるコンパスを提供する。【解決手段】回転ブロック１０を含み、回転ブロックの上端には回転軸１１が固定的に設置され、回転ブロックの前端面にはディスプレー１２が設置され、ディスプレーの下側にはスライド溝１３が設置され、スライド溝の中にはスライドロッド１４がスライドできるように設置され、スライドロッドの左端とスライド溝との間には戻しばね１５が固定的に設置される。、本発明はウォームとウォームホイールとの自己ロックによって図画ロッドが伸びた後の位置は安定し、絵を書くことが誤差がなく正確であり、また絵を書く時、４３支持脚の下端には支持ブロック５７が設置され、支持脚に受けた圧力を減少し、画紙又は画板を傷つけることから守り、そのほか、このコンパスは書く円弧の半径と角度を直接に測ることができ、使用が便利である。【選択図】図１
2020183930.tif 000002
【特許請求の範囲】
【請求項１】
正面視で、回転ブロックを含み、前記回転ブロックの上端には回転軸が固定的に設置され、前記回転ブロックの前端面にはディスプレーが設置され、前記ディスプレーの下側にはスライド溝が設置され、前記スライド溝の中にはスライドロッドがスライドできるように設置され、前記スライドロッドの左端と前記スライド溝との間には戻しばねが固定的に設置され、前記スライド溝の上端壁の中には位置制限溝が連通するように設置され、前記位置制限溝の中には前記スライドロッドと固定的に連結された変位センサーがスライドできるように設置され、前記変位センサーは前記スライドロッドの変位を測ることができ、それによって前記ディスプレーを制御し、前記スライド溝の右側には回転溝が外部空間と連通するように設置され、前記回転溝の中には図画ロッドが固定軸によって回転できるように設置され、前記図画ロッドの前側には回転装置が設置され、前記回転装置が前記図画ロッドと動力が伝達できるように連結され、前記図画ロッドの中には推し溝が設置され、前記推し溝の中には推しブロックがスライドできるように設置され、前記スライドロッドの右端が前記推しブロックと回転できるように連結され、前記推し溝の下側には図画装置が設置され、前記図画装置が前記推しブロックと当接しており、前記図画ロッドの左側には支持脚が設置され、前記支持脚の上端が前記回転軸と回転できるように連結され、前記支持脚の下端には支持ブロックが固定的に設置され、前記支持脚の中には環状チャンバが設置され、前記環状チャンバの下端壁には環状の目盛盤が固定的に設置され、前記目盛盤の中には環状溝が設置され、前記環状溝の中にはスライドブロックがスライドできるように設置され、前記スライドブロックの右端には針が固定的に設置され、前記スライドブロックの中には左右に貫通している貫通孔が設置され、前記環状チャンバの上端壁の中には環状のガイド溝が連通するように設置され、前記スライドブロックの上端が前記ガイド溝とスライドできるように連結され、前記環状チャンバの中間には糸巻き輪が回転できるように設置され、前記糸巻き輪には硬度が大きくて巻かれることができる材質の引き紐が固定的に巻き付くように設置され、前記引き紐の右端が前記貫通孔を貫通して前記図画ロッドと固定的に連結され、前記糸巻き輪の下側には連通チャンバが連通するように設置され、前記糸巻き輪の芯棒の下端が前記連通チャンバの下端壁と回転できるように連結され、前記芯棒には回転輪が固定的に設置され、前記回転輪にはぜんまいが固定的に巻き付くように設置され、前記ぜんまいのもう一端が前記連通チャンバの内端壁と固定的に連結され、
前記図画ロッドの伸び距離は前記ディスプレーを通じて示され、前記図画ロッドの回転角度は前記目盛盤に示されることを特徴とする角度を自動的に測れるコンパス。
【請求項２】
前記回転装置は前記固定軸の前端に固定的に設置されたウォームホイールを含み、前記ウォームホイールの上端にはウォームが噛み合うように連結され、前記ウォームの軸心のところには左端が前記回転溝の左端壁と回転できるように連結した回転ロッドが固定的に設置され、前記回転ロッドの右端が外部空間に伸びており、且つ前記回転ロッドの右端には捻りブロックが固定的に設置され、
前記捻りブロックを回転することによって前記図画ロッドが回転し、前記図画ロッドと前記支持脚との間の距離を調節し、即ち円弧の半径の長さを調節することを特徴とする請求項１に記載の角度を自動的に測れるコンパス。
【請求項３】
前記図画装置は前記推し溝と連通しているプレス溝を含み、前記プレス溝の中には上端が前記推しブロックと当接しているプレスロッドがスライドできるように設置され、前記プレスロッドの右端面には前記プレスロッドを復帰させることができる復帰部品が固定的に設置され、前記プレスロッドの下端にはコンロッドが回転できるように設置され、前記プレス溝の下側には調節溝が連通するように設置され、前記調節溝と前記プレス溝との間には連通溝が連通するように設置され、前記調節溝の中には前記コンロッドの下端と回転できるように連結された連結ブロックがスライドできるように設置され、前記連結ブロックの左端と前記調節溝との間には押しばねが固定的に設置され、前記復帰部品の弾性が前記押しばねのより大きく、前記調節溝の下側には開き溝が連通するように設置され、前記開き溝の中にはペンホルダーが回転できるように設置され、前記ペンホルダーの中には前記連結ブロックと回転できるように連結された貫通溝が設置され、前記ペンホルダーの中には取り付け装置が設置され、前記取り付け装置は円弧の軌跡を描くことができ、
前記図画ロッドが前記支持脚との間の距離を伸ばす時、前記プレスロッドによって、前記ペンホルダーが絵を書く面と始終に垂直状態にあることを特徴とする請求項１に記載の角度を自動的に測れるコンパス。
【請求項４】
前記取り付け装置は下方に開口した空き溝を含み、前記空き溝の中には下端が上記の絵を書く面と当接した芯がスライドできるように設置され、前記空き溝の右端壁の中には凹溝が連通するように設置され、前記凹溝の中には左端面が軟質で滑り防止パッドである挟みブロックがスライドできるように設置され、前記挟みブロックの左端が前記芯と当接しており、前記挟みブロックの右端にはネジ軸が回転できるように設置され、前記凹溝の右側にはネジ山溝が外部空間と連通するように設置され、前記ネジ軸の右端が前記ネジ山溝を貫通して外部空間に伸びており、
前記ネジ軸が回転し、挟みブロックを押し動かして左方へ移動させて芯をきつく挟むことを特徴とする請求項３に記載の角度を自動的に測れるコンパス。
【発明の詳細な説明】
【技術分野】
【０００１】
本発明は文具技術分野に関わり、具体的には角度を自動的に測れるコンパスである。
【背景技術】
【０００２】
今までのコンパスは支持脚の下端にはただ尖頭を設置し、円弧の円心を定位し、それによって絵を書く時、手が支持脚に与える圧力が増える時、尖頭が画紙を突き通す恐れがあり、そのほか、図画ロッドを手で引っ張って調節し、即時ロック装置を設置していないため、絵を書く時、図画ロッドが滑って移動しやすく、円弧を書くのは順調ではなく、且つ円弧の角度を直接に測ることができなく、従って、既存の技術の中のコンパスを改善し、それによってコンパスの使用の便利さを高める。
【先行技術文献】
【特許文献】
【０００３】
【特許文献１】中国特許出願公開第１０２３８１１０５号明細書
【発明の概要】
【発明が解決しようとする課題】
【０００４】
本発明は角度を自動的に測れるコンパスを提供し、既存技術にある上記欠点を解消することを目的とする。
【課題を解決するための手段】
【０００５】
本発明の実施例の角度を自動的に測れるコンパスは、回転ブロックを含み、前記回転ブロックの上端には回転軸が固定的に設置され、前記回転ブロックの前端面にはディスプレーが設置され、前記ディスプレーの下側にはスライド溝が設置され、前記スライド溝の中にはスライドロッドがスライドできるように設置され、前記スライドロッドの左端と前記スライド溝との間には戻しばねが固定的に設置され、前記スライド溝の上端壁の中には位置制限溝が連通するように設置され、前記位置制限溝の中には前記スライドロッドと固定的に連結された変位センサーがスライドできるように設置され、前記変位センサーは前記スライドロッドの変位を測ることができ、それによって前記ディスプレーを制御し、前記スライド溝の右側には回転溝が外部空間と連通するように設置され、前記回転溝の中には図画ロッドが固定軸によって回転できるように設置され、前記図画ロッドの前側には回転装置が設置され、前記回転装置が前記図画ロッドと動力が伝達できるように連結され、前記図画ロッドの中には推し溝が設置され、前記推し溝の中には推しブロックがスライドできるように設置され、前記スライドロッドの右端が前記推しブロックと回転できるように連結され、前記推し溝の下側には図画装置が設置され、前記図画装置が前記推しブロックと当接しており、前記図画ロッドの左側には支持脚が設置され、前記支持脚の上端が前記回転軸と回転できるように連結され、前記支持脚の下端には支持ブロックが固定的に設置され、前記支持脚の中には環状チャンバが設置され、前記環状チャンバの下端壁には環状の目盛盤が固定的に設置され、前記目盛盤の中には環状溝が設置され、前記環状溝の中にはスライドブロックがスライドできるように設置され、前記スライドブロックの右端には針が固定的に設置され、前記スライドブロックの中には左右に貫通している貫通孔が設置され、前記環状チャンバの上端壁の中には環状のガイド溝が連通するように設置され、前記スライドブロックの上端が前記ガイド溝とスライドできるように連結され、前記環状チャンバの中間には糸巻き輪が回転できるように設置され、前記糸巻き輪には硬度が大きくて巻かれることができる材質の引き紐が固定的に巻き付くように設置され、前記引き紐の右端が前記貫通孔を貫通して前記図画ロッドと固定的に連結され、前記糸巻き輪の下側には連通チャンバが連通するように設置され、前記糸巻き輪の芯棒の下端が前記連通チャンバの下端壁と回転できるように連結され、前記芯棒には回転輪が固定的に設置され、前記回転輪にはぜんまいが固定的に巻き付くように設置され、前記ぜんまいのもう一端が前記連通チャンバの内端壁と固定的に連結され、
前記図画ロッドの伸び距離は前記ディスプレーを通じて示され、前記図画ロッドの回転角度は前記目盛盤に示される。
【０００６】
さらなる技術プランとして、前記回転装置は前記固定軸の前端に固定的に設置されたウォームホイールを含み、前記ウォームホイールの上端にはウォームが噛み合うように連結され、前記ウォームの軸心のところには左端が前記回転溝の左端壁と回転できるように連結した回転ロッドが固定的に設置され、前記回転ロッドの右端が外部空間に伸びており、且つ前記回転ロッドの右端には捻りブロックが固定的に設置され、
前記捻りブロックを回転することによって前記図画ロッドが回転し、前記図画ロッドと前記支持脚との間の距離を調節し、即ち円弧の半径の長さを調節する。
【０００７】
さらなる技術プランとして、前記図画装置は前記推し溝と連通しているプレス溝を含み、前記プレス溝の中には上端が前記推しブロックと当接しているプレスロッドがスライドできるように設置され、前記プレスロッドの右端面には前記プレスロッドを復帰させることができる復帰部品が固定的に設置され、前記プレスロッドの下端にはコンロッドが回転できるように設置され、前記プレス溝の下側には調節溝が連通するように設置され、前記調節溝と前記プレス溝との間には連通溝が連通するように設置され、前記調節溝の中には前記コンロッドの下端と回転できるように連結された連結ブロックがスライドできるように設置され、前記連結ブロックの左端と前記調節溝との間には押しばねが固定的に設置され、前記復帰部品の弾性が前記押しばねのより大きく、前記調節溝の下側には開き溝が連通するように設置され、前記開き溝の中にはペンホルダーが回転できるように設置され、前記ペンホルダーの中には前記連結ブロックと回転できるように連結された貫通溝が設置され、前記ペンホルダーの中には取り付け装置が設置され、前記取り付け装置は円弧の軌跡を描くことができ、
前記図画ロッドが前記支持脚との間の距離を伸ばす時、前記プレスロッドによって、前記ペンホルダーが絵を書く面と始終に垂直状態にある。
【０００８】
さらなる技術プランとして、前記取り付け装置は下方に開口した空き溝を含み、前記空き溝の中には下端が上記の絵を書く面と当接した芯がスライドできるように設置され、前記空き溝の右端壁の中には凹溝が連通するように設置され、前記凹溝の中には左端面が軟質で滑り防止パッドである挟みブロックがスライドできるように設置され、前記挟みブロックの左端が前記芯と当接しており、前記挟みブロックの右端にはネジ軸が回転できるように設置され、前記凹溝の右側にはネジ山溝が外部空間と連通するように設置され、前記ネジ軸の右端が前記ネジ山溝を貫通して外部空間に伸びており、
前記ネジ軸が回転し、挟みブロックを押し動かして左方へ移動させて芯をきつく挟む。
【発明の効果】
【０００９】
本発明の有益な効果は：本発明は構成が簡単で、操作が便利で、ウォームとウォームホイールとの自己ロックによって図画ロッドが伸びた後の位置は安定し、絵を書くことが誤差がなく正確であり、また絵を書く時、支持脚の下端には支持ブロックが設置され、支持脚に受けた圧力を減少し、画紙又は画板を傷つけることから守り、そのほか、このコンパスは書く円弧の半径と角度を直接に測ることができ、使用が便利である。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の角度を自動的に測れるコンパスの内部全体構成概略図
【図２】図２は本発明の図１の中の「Ａ」の拡大構成概略図
【図３】図３は本発明の図１の中の「Ｂ」の拡大構成概略図
【図４】図４は本発明の図１の中の「Ｃ」の拡大構成概略図
【図５】図５は本発明の図１の中の「Ｄ」の拡大構成概略図
【発明を実施するための形態】
【００１２】
図１〜５を参照し、本発明の実施例の角度を自動的に測れるコンパスは、回転ブロック１０を含み、前記回転ブロック１０の上端には回転軸１１が固定的に設置され、前記回転ブロック１０の前端面にはディスプレー１２が設置され、前記ディスプレー１２の下側にはスライド溝１３が設置され、前記スライド溝１３の中にはスライドロッド１４がスライドできるように設置され、前記スライドロッド１４の左端と前記スライド溝１３との間には戻しばね１５が固定的に設置され、前記スライド溝１３の上端壁の中には位置制限溝１６が連通するように設置され、前記位置制限溝１６の中には前記スライドロッド１４と固定的に連結された変位センサー１７がスライドできるように設置され、前記変位センサー１７は前記スライドロッド１４の変位を測ることができ、それによって前記ディスプレー１２を制御し、前記スライド溝１３の右側には回転溝１８が外部空間と連通するように設置され、前記回転溝１８の中には図画ロッド２４が固定軸１９によって回転できるように設置され、前記図画ロッド２４の前側には回転装置１００が設置され、前記回転装置１００が前記図画ロッド２４と動力が伝達できるように連結され、前記図画ロッド２４の中には推し溝２５が設置され、前記推し溝２５の中には推しブロック２６がスライドできるように設置され、前記スライドロッド１４の右端が前記推しブロック２６と回転できるように連結され、前記推し溝２５の下側には図画装置２００が設置され、前記図画装置２００が前記推しブロック２６と当接しており、前記図画ロッド２４の左側には支持脚４３が設置され、前記支持脚４３の上端が前記回転軸１１と回転できるように連結され、前記支持脚４３の下端には支持ブロック５７が固定的に設置され、前記支持脚４３の中には環状チャンバ４４が設置され、前記環状チャンバ４４の下端壁には環状の目盛盤４５が固定的に設置され、前記目盛盤４５の中には環状溝４６が設置され、前記環状溝４６の中にはスライドブロック４８がスライドできるように設置され、前記スライドブロック４８の右端には針４９が固定的に設置され、前記スライドブロック４８の中には左右に貫通している貫通孔５３が設置され、前記環状チャンバ４４の上端壁の中には環状のガイド溝４７が連通するように設置され、前記スライドブロック４８の上端が前記ガイド溝４７とスライドできるように連結され、前記環状チャンバ４４の中間には糸巻き輪５１が回転できるように設置され、前記糸巻き輪５１には硬度が大きくて巻かれることができる材質の引き紐５２が固定的に巻き付くように設置され、前記引き紐５２の右端が前記貫通孔５３を貫通して前記図画ロッド２４と固定的に連結され、前記糸巻き輪５１の下側には連通チャンバ５４が連通するように設置され、前記糸巻き輪５１の芯棒５０の下端が前記連通チャンバ５４の下端壁と回転できるように連結され、前記芯棒５０には回転輪５５が固定的に設置され、前記回転輪５５にはぜんまい５６が固定的に巻き付くように設置され、前記ぜんまい５６のもう一端が前記連通チャンバ５４の内端壁と固定的に連結され、
前記図画ロッド２４の伸び距離は前記ディスプレー１２を通じて示され、前記図画ロッド２４の回転角度は前記目盛盤４５に示される。
【００１３】
有益なように、前記回転装置１００は前記固定軸１９の前端に固定的に設置されたウォームホイール２０を含み、前記ウォームホイール２０の上端にはウォーム２１が噛み合うように連結され、前記ウォーム２１の軸心のところには左端が前記回転溝１８の左端壁と回転できるように連結した回転ロッド２２が固定的に設置され、前記回転ロッド２２の右端が外部空間に伸びており、且つ前記回転ロッド２２の右端には捻りブロック２３が固定的に設置され、
前記捻りブロック２３を回転することによって前記図画ロッド２４が回転し、前記図画ロッド２４と前記支持脚４３との間の距離を調節し、即ち円弧の半径の長さを調節する。
【００１４】
有益なように、前記図画装置２００は前記推し溝２５と連通しているプレス溝２８を含み、前記プレス溝２８の中には上端が前記推しブロック２６と当接しているプレスロッド２７がスライドできるように設置され、前記プレスロッド２７の右端面には前記プレスロッド２７を復帰させることができる復帰部品５８が固定的に設置され、前記プレスロッド２７の下端にはコンロッド３０が回転できるように設置され、前記プレス溝２８の下側には調節溝３１が連通するように設置され、前記調節溝３１と前記プレス溝２８との間には連通溝２９が連通するように設置され、前記調節溝３１の中には前記コンロッド３０の下端と回転できるように連結された連結ブロック３２がスライドできるように設置され、前記連結ブロック３２の左端と前記調節溝３１との間には押しばね３３が固定的に設置され、前記復帰部品５８の弾性が前記押しばね３３のより大きく、前記調節溝３１の下側には開き溝３５が連通するように設置され、前記開き溝３５の中にはペンホルダー３６が回転できるように設置され、前記ペンホルダー３６の中には前記連結ブロック３２と回転できるように連結された貫通溝３４が設置され、前記ペンホルダー３６の中には取り付け装置３００が設置され、前記取り付け装置３００は円弧の軌跡を描くことができ、
前記図画ロッド２４が前記支持脚４３との間の距離を伸ばす時、前記プレスロッド２７によって、前記ペンホルダー３６が絵を書く面と始終に垂直状態にある。
【００１５】
有益なように、前記取り付け装置３００は下方に開口した空き溝３７を含み、前記空き溝３７の中には下端が上記の絵を書く面と当接した芯３８がスライドできるように設置され、前記空き溝３７の右端壁の中には凹溝３９が連通するように設置され、前記凹溝３９の中には左端面が軟質で滑り防止パッドである挟みブロック４１がスライドできるように設置され、前記挟みブロック４１の左端が前記芯３８と当接しており、前記挟みブロック４１の右端にはネジ軸４２が回転できるように設置され、前記凹溝３９の右側にはネジ山溝４０が外部空間と連通するように設置され、前記ネジ軸４２の右端が前記ネジ山溝４０を貫通して外部空間に伸びており、
前記ネジ軸４２が回転し、挟みブロック４１を押し動かして左方へ移動させて芯３８をきつく挟む。
【００１６】
初期状態の時、図画ロッド２４の左端面が支持脚４３の右端面と当接しており、針４９は零を指している。
【００１７】
作動する時、支持脚４３の下端が書く円弧の円心と重なり合い、支持ブロック５７の下端面が絵を書く面と当接し、それによってコンパスを使用する過程において、回転軸１１の圧力が支持ブロック５７に分けて当たり、支持脚４３の下端が絵を書く面を突き通すことを防止し、次に、捻りブロック２３を回転させてウォーム２１を回転連動させ、それによってウォームホイール２０が回転し、それによって図画ロッド２４が支持脚４３から離れている片側に回転し、それによってスライドロッド１４が右方へ伸び、変位センサー１７を右方へ移動連動させ、図画ロッド２４が回転した後に支持脚４３との間の水平移動の差を測り、この値はディスプレー１２を通じて示され、またその値は円弧の半径の長さであり、図画ロッド２４が回転している過程において、推しブロック２６がプレスロッド２７を押して下降させ、コンロッド（連通ロッド）３０によって連結ブロック３２が右方へ移動し、それによってペンホルダー３６が時計回り方向に回転し、且つペンホルダー３６と絵を書く面とを始終に垂直状態にさせ、その後、回転軸１１を回転させ、それによって回転ブロック１０が図画ロッド２４を回転連動させ、引き紐５２によってスライドブロック４８を連動させて環状溝４６に沿ってスライドさせ、それによって針４９が目盛盤４５に示す数字は円弧の角度である。
【００１８】
本発明の有益な効果は：本発明は構成が簡単で、操作が便利で、ウォームとウォームホイールとの自己ロックによって図画ロッドが伸びた後の位置は安定し、絵を書くことが誤差がなく正確であり、また絵を書く時、支持脚の下端には支持ブロックが設置され、支持脚に受けた圧力を減少し、画紙又は画板を傷つけることから守り、そのほか、このコンパスは書く円弧の半径と角度を直接に測ることができ、使用が便利である。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020183930.tif 000003
【図２】
2020183930.tif 000004
【図３】
2020183930.tif 000005
【図４】
2020183930.tif 000006
【図５】
2020183930.tif 000007